(57)【要約】【課題】予製カセットの保管場所を使用場所の近くに不都合の無い状態で確保しうる薬剤分包機を実現する。【解決手段】予製カセット６５を着脱可能に保持しうる予備着座部６４を複数装備した予備庫部６０を薬品庫部１１や包装装置１７の側方に設けて、予備着座部６４を薬剤収集機構１４＋１５の収集範囲の外に位置させる。また、予備庫部６０を前方へ引き出すと庫内の予備着座部６４が露出するようにもする。さらに、予備着座部６４には、ベース３０のうちの静的部材である着座部３１と同じもの又は互換性のあるものを採用する。【選択図】        図１
2018187053.tif 000002
【特許請求の範囲】
【請求項１】
薬剤を収容しうる薬剤カセットを着脱可能に保持するベースを複数装備した薬品庫部と、薬剤を受け入れて区分封入する包装装置と、前記薬剤カセットから前記ベースを介して排出された薬剤を収集して前記包装装置に引き渡す薬剤収集機構とを備えた薬剤分包機において、前記薬剤カセットを着脱可能に保持しうる予備着座部を複数装備した予備庫部が前記薬品庫部の側方に設けられて、前記予備着座部が前記薬剤収集機構の収集範囲の外に位置していることを特徴とする薬剤分包機。
【請求項２】
前記予備庫部が前記包装装置の側方まで延設されている又は前記包装装置の側方にも設けられていることを特徴とする請求項１記載の薬剤分包機。
【請求項３】
前記予備庫部が前方へ引出可能になっており、前記予備庫部を前方へ引き出すと前記予備着座部のうち前記予備庫部の内部に装備されているものが露出するようになっていることを特徴とする請求項１又は請求項２に記載された薬剤分包機。
【請求項４】
前記予備庫部が、前記予備着座部を横に並べて搭載した棚を上下多段に具備しており、前記棚が、全段まとめて一体的に又は各段毎に若しくは幾つかの分割群毎に前方へ引き出せるようになっていることを特徴とする請求項３記載の薬剤分包機。
【請求項５】
前記予備着座部が前記ベースのうちの静的部材と同じもの又は互換性のあるものであることを特徴とする請求項１乃至請求項４の何れかに記載された薬剤分包機。
【請求項６】
前記予備着座部のそれぞれに対応させて点灯部材が設けられており、前記薬剤カセットのうち案内対象の薬剤を収容したものが前記予備着座部の何れかに装着されているときには前記点灯部材のうち当該予備着座部に対応するのものを点灯させる案内手段が設けられていることを特徴とする請求項１乃至請求項５の何れかに記載された薬剤分包機。
【請求項７】
前記案内手段によって点灯制御される並灯部材が前記予備庫部の表面に設けられており、前記案内手段が、前記点灯部材のうち前記予備庫部の内部の前記予備着座部に対応するものを点灯させたときに前記並灯部材も点灯させるようになっていることを特徴とする請求項６記載の薬剤分包機。
【発明の詳細な説明】
【技術分野】
【０００１】
この発明は、各種の薬剤を収容した多数の薬剤カセットのうち適宜なものから排出させた薬剤を収集して小分け包装する薬剤分包機に関し、詳しくは、予備の薬剤カセット（予製カセット）を利用可能な薬剤分包機に関する。
【背景技術】
【０００２】
各種の薬剤を分包しうる薬剤分包機は（例えば特許文献１〜５，図３参照）、所定の薬剤１を収容しうる薬剤カセット２０（容器部）を着脱可能に保持するベース３０（支持部）が多数配設された薬品庫部１１と、投入ホッパ１６に受け入れた薬剤１を次々に長尺の二つ折り分包紙２等に区分封入する包装装置１７と、上記のベース３０に対して薬剤カセット２０が装着されて成る薬剤フィーダ１３（薬剤供給部）のうち適宜なものから排出された薬剤１を収集して上記の包装装置１７に引き渡す薬剤収集機構（上部収集機構１４及び下部収集機構１５）と、処方箋情報等に基づいた調剤指示に応じて上記の薬剤フィーダ１３や包装装置１７の動作を制御するコンピュータ等の制御部１８とを備えている。
【０００３】
それら各部のうちベース３０は、薬剤カセット２０を保持する着座部３１等の静的部材と、薬剤カセット２０の薬剤排出用回転盤を駆動するモータ等の動的部材３２とを具備している。
そして、調剤指示に応じて制御部１８が調剤対象薬剤の薬剤フィーダ１３に排出動作を行わせると、該当する一の又は複数の薬剤フィーダ１３の薬剤カセット２０から調剤対象薬剤が排出され、その又はそれらの薬剤１が、何れも、薬剤収集機構１４＋１５によって包装装置１７の投入ホッパ１６の中へ導かれ、包装装置１７によって朝昼晩夜の服用単位といった適宜な単位で分包される。
【０００４】
また、何れかの薬剤カセット２０が収容薬剤を総て排出して空になったとき或いは空になりそうになったときには、その薬剤カセット２０をベース３０から取り外して薬剤を補充してから再びベース３０へ戻して再装着するか、予め同種薬剤を収容させておいた予備の薬剤カセット（以下、予製カセットと呼ぶ）を代わりに装着するが、その際に装着ミスが発生するのを防止したり装着先ベースの限定を解除や緩和するために、薬剤カセットに識別情報を付しておき（図示せず）、それを読み取って照合するようにもなっている（例えば特許文献２〜４参照）。
【０００５】
さらに、一の薬品庫部１１を二分して或いは複数の薬品庫部１１を一体的に列設して、そこに配設される多数の薬剤カセット１３の一部には錠剤カセットを用い残部には散薬カセットを用いる薬剤分包機もある（例えば特許文献５参照）。この薬剤分包機では、錠剤カセットは上述のように薬剤収集機構１４＋１５の収集範囲に配設されて自動排出に供されるが、散薬カセットは、薬剤収集機構１４＋１５の収集範囲の外に配設されて、棚状で排出機能の無い薬品庫部から人手で取り出されて計量分割式の散薬供給機構に移載されたり回転配分用の散薬フィーダへの計量取出に供されるようになっている。この場合、錠剤カセットと散薬カセットとには互換性を持たせるのが難しいが、錠剤カセット同士や散薬カセット同士には、互換性を持たせるのが比較的容易である。
【０００６】
そのため、この薬剤分包機では、薬剤収集機構の収集範囲に配設されて自動排出に供される錠剤カセットに対して、上述したような互換性のある他の錠剤カセットに予め同種薬剤を収容しておいた予製カセットを準備しておき、薬剤収集機構の収集範囲に装着中の錠剤カセットが収容薬剤を総て排出し終えて該当薬剤が欠品状態になったとき又はなりかけたときには該当する薬剤カセットを予製カセットで置き換えることで、薬剤カセットへの補充作業の完了を待つまでも無く迅速に自動分包を再開できるようになっている。
【先行技術文献】
【特許文献】
【０００７】
【特許文献１】特開昭５９−２６４０３号公報
【特許文献２】特開２００２−２７２８１２号公報
【特許文献３】特開２００５−１９２７０２号公報
【特許文献４】特開２０１３−１４６４４３号公報
【特許文献５】特開２０１６−０７３５１８号公報
【発明の概要】
【発明が解決しようとする課題】
【０００８】
ところで、従来の薬剤分包機の設置態様では、薬剤収集機構の収集範囲に配設されて自動排出に供される錠剤カセットに対応した予製カセットに係る保管場所が、薬剤分包機とは別に設けられた汎用の棚などになっていた。そして、そのような保管棚は、薬剤分包機と並べて置こうとすると、幅を取り過ぎるなど、設置床の占有状況等に不具合が生じたり、薬剤カセットの交換作業や薬剤収集機構の清掃作業などの邪魔になったりしがちであるため、薬剤分包機から離れた場所に設置されることが多かった。
【０００９】
しかしながら、予製カセットの保管場所が薬剤分包機から離れていると、予製カセットを運ぶ距離が長いため、薬剤欠品による分包動作停止時に薬剤カセットを速やかに交換することができず、その間、薬剤分包機が分包動作を停止し続けるため、その時間の分だけ予製カセットの事前準備の効果が損なわれてしまうことになる。
そこで、予製カセットの保管場所を使用場所の近くに不都合の無い状態で確保しうる薬剤分包機を実現することが第１技術課題となる。
【００１０】
また、薬剤分包機の薬剤収集機構の収集範囲に配設される錠剤カセットの個数には上限があるため、使用頻度や使用量の多い薬剤については複数・多数の薬剤カセットを割り当てて常に薬品庫部のベースに装着しておくといった運用にて薬剤欠品による分包動作停止時間の短縮を図ろうとすると、薬品庫部に設置しうる他の薬剤カセットの個数ひいては自動排出に供する薬剤の種類が犠牲になって減少し、逆に薬剤の種類を増やそうとすると使用頻度や使用量の多い薬剤に割り当てられる薬剤カセットの個数が犠牲になって少なくなる、というジレンマがある。
【００１１】
かかるジレンマに対しては、カセット交換を迅速に行える予製カセットを増やすことによって、かなりの改善を期待することができる。
しかし、予製カセットの保管数が多くなると、保管場所として見易い所ばかりを確保するのが困難になる。しかも、予製カセットは何れも外観が似ている。そのため、多数の予製カセットから必要な予製カセットを選出するのに手間取ることが多くなってしまう。
そこで、必要な予製カセットを容易かつ迅速に選出しうる薬剤分包機を実現することが第２技術課題となる。
【課題を解決するための手段】
【００１２】
本発明の薬剤分包機は（解決手段１）、上述した第１課題を解決するために創案されたものであり、薬剤を収容しうる薬剤カセットを着脱可能に保持するベースを複数装備した薬品庫部と、薬剤を受け入れて区分封入する包装装置と、前記薬剤カセットから前記ベースを介して排出された薬剤を収集して前記包装装置に引き渡す薬剤収集機構とを備えた薬剤分包機において、前記薬剤カセットを着脱可能に保持しうる予備着座部を複数装備した予備庫部が前記薬品庫部の側方に設けられて、前記予備着座部が前記薬剤収集機構の収集範囲の外に位置していることを特徴とする。
【００１３】
また、本発明の薬剤分包機は（解決手段２）、上記解決手段１の薬剤分包機であって、前記予備庫部が前記包装装置の側方まで延設されている又は前記包装装置の側方にも設けられていることを特徴とする。
【００１４】
さらに、本発明の薬剤分包機は（解決手段３）、上記解決手段１，２の薬剤分包機であって、前記予備庫部が前方へ引出可能になっており、前記予備庫部を前方へ引き出すと前記予備着座部のうち前記予備庫部の内部に装備されているものが露出するようになっていることを特徴とする。
【００１５】
また、本発明の薬剤分包機は（解決手段４）、上記解決手段３の薬剤分包機であって、前記予備庫部が、前記予備着座部を横に並べて搭載した棚を上下多段に具備しており、前記棚が、全段まとめて一体的に又は各段毎に若しくは幾つかの分割群毎に前方へ引き出せるようになっていることを特徴とする。
【００１６】
また、本発明の薬剤分包機は（解決手段５）、上記解決手段１〜４の薬剤分包機であって、前記予備着座部が前記ベースのうちの静的部材と同じもの又は互換性のあるものであることを特徴とする。
【００１７】
また、本発明の薬剤分包機は（解決手段６）、上記解決手段１〜５の薬剤分包機であって、前記予備着座部のそれぞれに対応させて点灯部材が設けられており、前記薬剤カセットのうち案内対象の薬剤を収容したものが前記予備着座部の何れかに装着されているときには前記点灯部材のうち当該予備着座部に対応するのものを点灯させる案内手段が設けられていることを特徴とする。
【００１８】
また、本発明の薬剤分包機は（解決手段７）、上記解決手段６の薬剤分包機であって、前記案内手段によって点灯制御される並灯部材が前記予備庫部の表面に設けられており、前記案内手段が、前記点灯部材のうち前記予備庫部の内部の前記予備着座部に対応するものを点灯させたときに前記並灯部材も点灯させるようになっていることを特徴とする。
【発明の効果】
【００１９】
このような本発明の薬剤分包機にあっては（解決手段１）、薬品庫部に加えて予備庫部も設け、それに複数の予備着座部を装備させるとともに、それらの予備着座部を薬剤収集機構の収集範囲の外に位置させたことにより、薬剤カセットを着脱可能に保持しうる予備着座部が予製カセットを保持するのに好適なものになるとともに、予備庫部が多数の予製カセットの保管場所となる。しかも、そのような予備庫部を薬品庫部の側方に配したことにより、予備庫部が薬品庫部に密着か近接するので、全幅が過剰に広がるおそれが無く、装置の前方から行われることの多い薬剤収集機構の清掃作業などが妨げられるおそれも無く、薬剤カセットと予製カセットとの交換作業が迅速かつ円滑に行えることとなる。
したがって、この発明によれば、予製カセットの保管場所を使用場所の近くに不都合の無い状態で確保しうる薬剤分包機を実現することができ、その結果、第１技術課題が解決される。
【００２０】
また、本発明の薬剤分包機にあっては（解決手段２）、予備着座部の設置位置が薬剤収集機構の収集範囲に限定されないことを利用して、予備庫部を包装装置の側方まで拡張したことにより、予備庫部が縦長になって、予備庫部の横幅を拡げなくても予備着座部の装備数ひいては予製カセットの保管可能数が増えるので、この発明によれば、第１技術課題を高度に解決することができる。
【００２１】
さらに、本発明の薬剤分包機にあっては（解決手段３，４）、予備庫部を引出式にして、それを纏めて或いは適宜な棚群や各棚毎に前方へ引き出すと予備庫部の内部の予備着座部が露出するようにもしたことにより、予備庫部を含めた装置全体の横幅を拡げなくても、予備庫部の内部の予備着座部を予製カセットの保管先として簡便かつ迅速に使用することが可能となり、予備着座部の装備数ひいては予製カセットの保管可能数が増えるので、この発明によれば、第１技術課題を高度に解決することができる。
【００２２】
また、本発明の薬剤分包機にあっては（解決手段５）、ベースのうちの静的部材と同じもの又は互換性のあるものを予備着座部に採用したことにより、ベース用に量産されていて入手しやいうえ比較的安価な部材で予備着座部を装備することができるうえ、モータや回転伝動軸といった相対的に高価で縦長な動的部材は省かれることから、薬品庫部におけるベースの縦方向設置ピッチよりも予備庫部における予備着座部の縦方向設置ピッチを小さくすることができるので、薬品庫部における薬剤カセットの縦方向設置密度より予備庫部における予製カセットの縦方向設置密度の方が高まる。そのため、予備庫部を薬品庫部より高くしなくても予製カセットの保管可能数を増やすことができるので、この発明によれば、第１技術課題を高度に解決することができる。
【００２３】
また、本発明の薬剤分包機にあっては（解決手段６）、複数の予備着座部それぞれに対応させて点灯部材を設けたうえで、案内手段を作動させると、補充等の必要になった薬剤カセットの薬剤など案内対象の薬剤を予め収容した他の薬剤カセットである予製カセットを装着している予備着座部に係る点灯部材が点灯するようにしたことにより、交換対象の薬剤カセットに適合する予製カセットの在処が一目瞭然になる。
したがって、この発明によれば、必要な予製カセットを容易かつ迅速に選出しうる薬剤分包機を実現することができ、第１技術課題に加えて第２技術課題までも解決される。
【００２４】
また、本発明の薬剤分包機にあっては（解決手段７）、内部の予備着座部に対応している点灯部材については、視認性の確保が難しいところ、予備庫部の表面に設けられていて視認性の良い並灯部材も点灯させるようにしたことにより、並灯部材の点灯の視認によって、内部の予備着座部に対応している点灯部材の確認が促されることから、見落としのおそれが無いので、予製カセットの保管可能数を多くしても必要な予製カセットを容易かつ迅速に選出することができる。
したがって、第１技術課題に加えて第２技術課題までも高度に解決される。
【図面の簡単な説明】
【００２５】
【図１】本発明の実施例１について、薬剤分包機の構造を示し、（ａ）と（ｂ）が外観斜視図、（ｃ）と（ｄ）が予備庫部の外観斜視図である。
【図２】本発明の実施例２について、薬剤分包機の構造を示し、（ａ）が薬剤フィーダの縦断面図、（ｂ）が薬剤フィーダの側面図、（ｃ）が薬剤フィーダの正面図、（ｄ）が予備庫部の外観斜視図、（ｅ）が調剤サーバ等のブロック図である。
【図３】従来の薬剤分包機の構造を示し、（ａ）と（ｂ）が外観斜視図、（ｃ）が内部構成の模式図、（ｄ）が薬剤フィーダの側面図、（ｅ）が薬剤カセットとベースとの縦断面図、（ｆ）がベースを着座部などの静的部材とモータや回転伝動軸などの動的部材とに上下分割したところの側面図である。
【発明を実施するための形態】
【００２６】
このような本発明の薬剤分包機について、これを実施するための具体的な形態を、以下の実施例１〜２により説明する。
図１に示した実施例１は、上述した解決手段１〜５（出願当初の請求項１〜５）を具現化したものであり、図２に示した実施例２は、上述した解決手段６〜７（出願当初の請求項６〜７）を具現化したものである。
【００２７】
なお、それらの図示に際しては、簡明化等のため、ボルト等の締結具や，ヒンジ等の連結具，モータドライバ等の電気回路，コントローラ等の電子回路の詳細などは，図示を割愛し、発明の説明に必要なものや関連するものを中心に図示した。
また、それらの図示に際し従来と同様の構成要素には同一の符号を付して示したので、しかも、それらについて背景技術の欄で述べたことは以下の各実施例についても共通するので、重複する再度の説明は割愛し、以下、従来との相違点を中心に説明する。
【実施例１】
【００２８】
本発明の薬剤分包機の実施例１について、その具体的な構成を、図面を引用して説明する。図１は、（ａ）が薬剤分包機５０の外観斜視図、（ｂ）が予備庫部６０を引き出したところの外観斜視図、（ｃ）が予備庫部６０の外観斜視図、（ｄ）が予備庫部６０に多数の予製カセット６５を保持させたところの外観斜視図である。
【００２９】
薬剤分包機５０は（図１（ａ），（ｂ）参照）、既述した薬剤分包機１０を踏襲した本体部５１と、その側方の一つである左方から本体部５１の左側面に付設された付加部５２とを備えたものである。
本体部５１は、サイズなど細かな差違はあるが、薬剤分包機１０と同様、上部には、各種の薬剤を収容しうる薬剤カセット２０を着脱可能に保持するベース３０を複数装備した薬品庫部１１を備えている。この薬品庫部１１には、薬剤カセット２０と共に薬剤フィーダ１３をなすベース３０に加えて、上部収集機構１４も組み込まれている。
【００３０】
また（図１（ａ），（ｂ）参照）、本体部５１の下部すなわち薬品庫部１１の下方には、薬剤分包機１０と同様、上部収集機構１４と共に薬剤収集機構１４＋１５をなす下部収集機構１５と、投入ホッパ１６を具備した包装装置１７と、多数の薬剤フィーダ１３と包装装置１７などの動作制御を担う制御部１８とが格納されており、制御部１８が受けた調剤指示に応じて、所要の薬剤フィーダ１３から薬剤を排出させるとともに、それらの排出薬剤を、薬剤収集機構１４＋１５にて収集して投入ホッパ１６へ投入し、包装装置１７にて分包紙２に区分封入するようになっている。
【００３１】
付加部５２には（図１（ａ），（ｂ）参照）、上下に配設された二つの予備庫部６０が装備されており、それらのうち上側の予備庫部６０は、薬品庫部１１の左方に位置し、下側の予備庫部６０は、包装装置１７の左方に位置しているので、薬剤分包機５０は、予備庫部６０が薬品庫部１１の側方に加えて包装装置１７の側方にも設けられたものとなっている。しかも、それらの予備庫部６０は、何れも、棚部６２が薬剤収集機構１４＋１５の収集範囲から外れている。
【００３２】
予備庫部６０は、引出部材６１の付いた棚部６２の内部に多段に設けられた棚６３の上面に予備着座部６４を列設したものであり（図１（ｃ）参照）、個々に、付加部５２から前方へ引き出したり、付加部５２へ押し戻したりできるようになっている（図１（ａ），（ｂ）参照）。また、多数の予備着座部６４は（図１（ｃ）参照）、何れにも、量産されている既述のベース３０の着座部３１（静的部材）と同じものが採用されているので、何れも、既述の薬剤カセット２０ひいては予製カセット６５を着脱可能に保持しうるものであって、調達容易かつ低廉なものとなっている。
【００３３】
しかも、上述のように棚部６２が薬剤収集機構１４＋１５の外に位置しているので、棚部６２の中の予備着座部６４は、総て、薬剤収集機構１４＋１５の外に位置している。
さらに、棚部６２のうち本体部５１寄りの右側面が解放されていることから、予備庫部６０を付加部５２から前方へ十分に引き出すと、予備庫部６０の内部に装備されている予備着座部６４が総て露出するので、予備庫部６０の予備着座部６４に予製カセット６５を装着させたり（図１（ｄ）参照）、そこから予製カセット６５を取り出したりする作業を、本体部５１の手前で行うことができるものとなっている。
【００３４】
この実施例１の薬剤分包機５０について、その使用態様及び動作を説明するが、本体部５１の使い方や分包動作は従来と同様なので簡潔に述べる。
【００３５】
先ず、多数の薬剤カセット２０に各種の薬剤を収容して、それらを本体部５１の薬品庫部１１の多数のベース３０に一つずつ装着しておいて、制御部１８に調剤指示を出す。
そうすると、その指示に応じて制御部１８が調剤対象薬剤の薬剤フィーダ１３のベース３０に排出動作を行わせるので、調剤対象薬剤が、それを収容している薬剤カセット２０から排出され、それから薬剤収集機構１４＋１５によって投入ホッパ１６に投入されるので、包装装置１７によって適宜な単位で分包紙２に区分封入される。
【００３６】
また、そのような作業と並行する又は前後する適宜な時に、使用量が多くて補充の頻度が高い薬剤などについては予備の薬剤カセット２０に予め収容して該カセットを予製カセット６５にしておく。そして、予備庫部６０を付加部５２から前方へ引き出して（図１（ｂ）参照）、予備着座部６４を露出させ（図１（ｃ）参照）、それらのうち空いている予備着座部６４に予製カセット６５を保持させる（図１（ｄ）参照）。そのとき、予備着座部６４が何れも本体部５１の手前に向けて露出するので、薬剤分包機５０の両隣に他の装置などが設置されていても、それによって予製カセット収納作業を妨げられることなく、隣の作業を妨げることもなく、予製カセット６５を予備庫部６０に収納することができる。それから予備庫部６０を付加部５２の中へ押し戻しておく（図１（ａ）参照）。
【００３７】
そして、薬品庫部１１の中の何れかの薬剤カセット２０が収容薬剤を総て排出して空になったとき或いは空になりそうになったときには、本体部５１の分包動作が停止したタイミングで或いは強制的に一時停止させて、該当する薬剤カセット２０を薬剤補充のために薬品庫部１１から取り出す。
また、その薬剤と同じものを予め収容させた予製カセット６５が予備庫部６０の中に存在しているときには、補充対象の薬剤カセット２０を取り出した後あるいはその前に、該当する予製カセット６５を予備庫部６０から取り出す。
【００３８】
具体的には、予備庫部６０を付加部５２から手前に引き出して（図１（ｂ）参照）、その中の予製カセット６５を露出させ（図１（ｄ）参照）、それら多数の予製カセット６５のうちから該当カセットを選んで予備庫部６０から取り出してから、予備庫部６０を付加部５２の中へ押し戻す（図１（ａ）参照）。
こうして、必要な予製カセット６５の準備が容易かつ迅速に調うので、その予製カセット６５を薬剤カセット２０の代わりに薬品庫部１１のベース３０に装着し、それから本体部５１の分包動作を再開させる。
【００３９】
一方、取り出したままの薬剤カセット２０は、適宜な時期に薬剤を補充し、それを予製カセット６５として適宜な時期に予備庫部６０に収納しておく。
このように、本体部５１の分包動作に起因する薬剤カセット２０への薬剤補充作業に対する制約が緩和されるので、薬剤補充作業の負担が軽減される。
なお、補充対象の薬剤カセット２０と交換可能な予製カセット６５が予備庫部６０の中に存在しないときには、従来と同様に、薬品庫部１１から取り出した薬剤カセット２０への薬剤補充作業を終えて薬剤カセット２０を薬品庫部１１に戻すまで本体部５１の分包動作を一時停止させておく。
【実施例２】
【００４０】
本発明の薬剤分包機の実施例２について、その具体的な構成を、図面を引用して説明する。図２は、（ａ）が薬剤フィーダ１３の縦断左側面図、（ｂ）が薬剤フィーダ１３の左側面図、（ｃ）が薬剤フィーダ１３の正面図、（ｄ）が予備庫部６０の外観斜視図、（ｅ）が調剤サーバ７０等のブロック図である。
【００４１】
この薬剤分包機が上述した実施例１の薬剤分包機５０と相違するのは、薬品庫部１１の薬剤フィーダ１３及び予備庫部６０の相当部に照合用部材２１，３３及び点灯部材３４の付いたものが採用されている点と（図２（ａ）〜（ｃ）参照）、予備庫部６０の前面に並灯部材６６が付設された点と（図２（ｄ）参照）、制御部１８に調剤指示を出す調剤サーバ７０に案内手段のプログラムが組み込まれている点と（図２（ｅ）参照）、多数の携帯端末７１が使用可能になっている点である（図２（ｅ）参照）。
【００４２】
照合用部材２１，３３は、薬剤カセット２０と予製カセット６５とに付された識別情報担体２１と、着座部３１と予備着座部６４とに付設された識別情報読取器３３とからなり、カセット２０，６５が着座部３１，６４に装着されたときにバーコード等の識別情報が取得できるようになっていれば公知のもので足りる（例えば特許文献２〜４参照）。携帯端末７１は、未装着状態のカセット２０，６５から識別情報を読み取る機能を持つ。
点灯部材３４，６６は、省エネルギーであって発光制御も容易なＬＥＤが使い易いが、他の発光部材でも良い。点灯部材３４は、着座部３１，６４それぞれの前面等に設けられて、予備庫部６０を引き出したときに視認されるようになっているが、並灯部材６６は、予備庫部６０の前面に設けられて何時でも視認可能になっている。しかも、この例では、並灯部材６６が棚部６２の内部の各段の棚６３それぞれの対応高さに設けられている。
【００４３】
調剤サーバ７０は、薬剤分包機１０に加えて不図示の他の調剤機器や多数の携帯端末７１とも有線や無線のＬＡＮで接続されて各機器と通信できるようになっており、薬剤分包機１０の制御部１８等に送信する調剤指示の作成等のために、調剤指示の元になる図示しない処方箋データと、各種の薬品に係る情報をデータ保持する薬品マスタと、薬剤カセット２０や予製カセット６５の管理に役立つ情報をデータ保持するカセット管理と、点灯部材３４と並灯部材６６との点灯制御を行う案内手段（プログラム）とインストールされている。なお、図示の例では、点灯部材３４や並灯部材６６と調剤サーバ７０とが直に通信するようになっているが、その通信には制御部１８や他の物を介在させても良い。
【００４４】
識別情報担体２１には値の異なる識別情報が予め割り振られており、それらの識別情報が薬品マスタにおいてもカセット管理においても個々の薬剤やカセットに対応づけてデータ保持されるようになっているので、カセット２０，６５への薬剤補充時等に携帯端末７１等を用いた識別情報読取にてカセット２０，６５と補充薬剤とを対応づける簡便な作業を行っておくことで、薬剤とカセット２０，６５との対応関係が調剤サーバ７０の保持データに反映されるようになっている。また、カセット２０，６５を着座部３１，６４に装着すると、カセット２０，６５に付された識別情報が着座部３１，６４の識別情報読取器３３によって読み取られて調剤サーバ７０に通知されるので、調剤サーバ７０は、薬剤とカセット２０，６５と着座部３１，６４との対応関係まで把握するものとなっている。
【００４５】
案内手段は、そのような対応関係に基づき識別情報を手掛かりにして、薬品庫部１１の何れかの薬剤カセット２０が薬剤補充対象になると、その薬剤カセット２０の視認性を高めるために、その薬剤カセット２０の装着先の着座部３１の点灯部材３４を点灯させるようになっている。また、案内手段は、上記の補充対象の薬剤カセット２０に収容されていた薬剤を案内対象の薬剤として、それと同じ薬剤を収容した予製カセット６５（薬剤カセット）が予備庫部６０に保持されているか否かをカセット管理等のデータ検索にて調べ、該当するものが一つでも有れば、該当カセット６５の装着先の予備着座部６４何れについても点灯部材３４を点灯させるようになっている。さらに、案内手段は、予備庫部６０の点灯部材３４を点灯させたときには、該当する予備着座部６４の設置されている棚６３に対応している並灯部材６６を点灯させるようにもなっている。
【００４６】
この場合も、基本的な使い方や装置動作は薬剤分包機５０のときと同様であるが、上述のように点灯部材３４や並灯部材６６さらには案内手段が追加されているので、薬品庫部１１の中の薬剤カセット２０が薬剤排出完了にて補充対象（案内対象）になったときや携帯端末７１の操作等にて実装薬剤入替対象（案内対象）になったときなど、そのような案内対象になった薬剤カセット２０について薬品庫部１１における該当箇所が点灯部材３４の点灯によって明示される。さらに、同じ薬剤を収容している予製カセット６５が有ればそれについても、予備庫部６０における該当箇所が点灯部材３４の点灯によって明示されるとともに、予備庫部６０の前面における並灯部材６６の点灯によって予備庫部６０を引き出すまでもなく対応する棚６３の位置まで明示される。
【００４７】
［その他］
なお、上記実施例では、予備庫部６０が、薬品庫部１１の側方のものと包装装置１７の側方のものとの二つに分かれて、上下二段に設置されていたが、予備庫部６０は、一個だけで、薬品庫部１１に側方から包装装置１７の側方にまで延びていても良い。
また、予備庫部６０は、本体部５１の右方にだけ設置されていても良く、あるいは本体部５１の左右両方に設置されていても良い。
【００４８】
さらに、上記実施例では、予備庫部６０に装備された５段の棚６３が纏めて一体的に引き出されるようになっていたが、それぞれの棚６３が各段毎に個別に引き出せるようにしても良く、幾つかの分割群毎に例えば上側３段の群と下側２段の群とに分けて引き出せるようにしても良く、それに適合させて前面板を幾つかの開閉扉に上下分割しても良い。
また、上記実施例では、予備庫部６０の予備着座部６４にベース３０の着座部３１（静的部材）と同じものが採用されていたが、薬剤カセット２０も予製カセット６５も装着させて保持しうるという互換性を具えたものであれば、着座部３１以外のものでも、予備着座部６４として用いることができる。
【符号の説明】
【００４９】
１…薬剤、２…分包紙、
１０…薬剤分包機、
１１…薬品庫部、１３…薬剤フィーダ（薬剤供給部）、
１４＋１５…薬剤収集機構、１４…上部収集機構、１５…下部収集機構、
１６…投入ホッパ、１７…包装装置、１８…制御部、
２０…薬剤カセット（容器部）、２１…識別情報担体（照合用部材）、
３０…ベース（支持部）、３１…着座部（静的部材）、
３２…動的部材、３３…識別情報読取器（照合用部材）、３４…点灯部材、
５０…薬剤分包機、
５１…本体部、５２…付加部、
６０…予備庫部、６１…引出部材、６２…棚部、６３…棚、６４…予備着座部、
６５…予製カセット（薬剤カセット）、６６…並灯部材（点灯部材）、
７０…調剤サーバ、７１…携帯端末
【図１】
2018187053.tif 000003
【図２】
2018187053.tif 000004
【図３】
2018187053.tif 000005